(57)【要約】【課題】  エンジン駆動作業機に用いる雨水排水用雨樋の、取付面に対する多様性向上と、エンジン駆動作業機の搬送作業に起因する誤衝打による器物破損防止や自らの復元性向上により雨樋としての機能維持を図ること。【解決手段】  エンジン駆動作業機の筐体側壁面に形成した吸気口上部に、柔軟性を有して樹脂材で形成した雨樋を配設し、該雨樋の略凹型をした排水溝の開口部を上にし、該排水溝を形成する両側壁の一側壁外面に弾性部材を貼着した平板状の垂直壁を形成し、該排水溝の底面と排水溝の底面より下側に位置する前記垂直壁下端に連なる雨樋底面との間に中空状の空隙を雨樋の長手方向に形成した塊部を一体的に設け、該排水溝の他側壁は排水溝底面より上方部で外側に拡がり、該雨樋の最大幅部位を形成すると共に、該排水溝の内側より前記平板状の垂直壁を貫通して筐体側壁面に該雨樋を固定するボルトを配設する。【選択図】図１
2008051087.tif 000002
【特許請求の範囲】
【請求項１】
少なくとも筐体内にエンジンとエンジンに駆動される作業機本体および冷却ファンとが配設され、該筐体側壁面に雨樋が配設されているエンジン駆動作業機において、該雨樋を柔軟性を有した部材で形成し、該雨樋は略凹型をした排水溝の開口部を上方に向け、該排水溝を形成する両側壁の一側壁外面を該側壁上端部から前記排水溝底面位置より下側に延びた下端部までを平面状の垂直壁で形成し、該平面状の垂直壁下端に連なる雨樋底面と前記排水溝の底面とで囲まれた塊部の略中間領域に中空状の空隙を雨樋の長手方向に形成した事を特徴とするエンジン駆動作業機の雨樋。
【請求項２】
請求項１記載のエンジン駆動作業機の雨樋であって、前記筐体側壁面に配設された雨樋は柔軟性を有した樹脂材で形成され、該筐体側壁面に形成された吸気口上部に配設されている事を特徴とするエンジン駆動作業機の雨樋。
【請求項３】
請求項２記載のエンジン駆動作業機の雨樋であって、前記排水溝底面位置は前記垂直壁の略中央位置より下側に形成され、該排水溝底面の一端は前記平面状をした垂直壁の内壁面に連接され、他端は該排水溝外壁内面に連接され、該排水溝外壁は該連接点より上方で雨樋幅が最大となる様に排水溝外壁が外側に拡がって形成されいる事を特徴とするエンジン駆動作業機の雨樋。
【請求項４】
請求項１乃至請求項３記載のエンジン駆動作業機の雨樋であって、前記略凹型をした排水溝両側壁の一側壁に形成された平面状の垂直壁に弾性部材の一側面を貼着し、該弾性部材の他側面はエンジン駆動作業機の筐体側壁面に貼着できるように形成されている事を特徴とするエンジン駆動作業機の雨樋。
【請求項５】
請求項４記載のエンジン駆動作業機の雨樋であって、前記平面状の垂直壁に対向する排水溝外壁に連なる外側表面の下方に前記雨樋底面との間を仕切る下側に向いた平板状の突起片が雨樋の長手方向に連続して形成されている事を特徴とするエンジン駆動作業機の雨樋。
【請求項６】
請求項５記載のエンジン駆動作業機の雨樋であって、前記略凹型をした排水溝底面の上側近傍に前記排水溝の一側壁である前記平面状をした垂直壁を貫く水平方向のボルト取付穴を少なくとも２つ以上形成し、該雨樋の固定をボルト取付穴に挿通したボルトで補強した事を特徴とするエンジン駆動作業機の雨樋。
【発明の詳細な説明】
【技術分野】
【０００１】  本発明は、エンジン駆動の圧縮機、発電機、溶接機又はポンプ等のエンジン駆動作業機に使用される雨樋に関する。
【背景技術】
【０００２】  従来より筐体を有したエンジン駆動作業機は内部冷却のための外気取入口である吸気口と、冷却後の空気を放出する排風口とを有している。屋外で使用されるエンジン駆動作業機は筐体内部に配設した機器を雨水より保護するため吸気口、排風口および扉等に雨水侵入防止のための雨樋や雨水対策を施したダクト等を配設している。【０００３】  従来例の一例を特許文献１に示し、該発明を説明するにあたり呼称は特許文献１の表記により説明する。防音ケース内への雨水侵入を防ぎつつエンジン駆動作業機の設置スペースを大きくしないための考案として開示されている。【０００４】  エンジン駆動作業機の設置スペースを大きくしないために防音ケース上部の側壁面に形成した吸気口に該吸気口を覆うフードを形成する事無く、該吸気口の上部に雨樋を配設し、該雨樋より上部の筐体より伝わり落ちる雨水を該雨樋で受け止め、該吸気口より離れた所で雨水を落下させ、吸気口からの雨水侵入を防止している。【０００５】  また特許文献２に防音ケースの天井面に上を向いた排風口からの雨水侵入を防止する考案が開示されている。該考案によれば上を向いた排風口内に傾斜板を所定の間隔で複数個横設し、該傾斜板は所定の角度以内で傾いて降り注ぐ雨水に対して、必ず雨水が該傾斜板に触突するようにし、触突した雨水を捕集する樋を該傾斜板の下端に形成し、該樋の両端より屋外に排出する考案が開示されている。【０００６】  また他の従来例の一例として図６に設備として設置されるエンジン駆動作業機２００の吸気ダクト２３０に雨樋を形成した構造を示し、図７に該吸気ダクト２３０の拡大図を示す。エンジン駆動作業機２００は基礎枠体であるベース２０５上に冷却ファンを有したエンジン６０とエンジン６０に駆動される作業機本体５０が筐体内に配設されている。【０００７】  筐体上部に屋根部材２１０が配設され、該屋根部材２１０はエンジン駆動作業機２００が大きいために屋根部材片２１０ａ、２１０ｂ、２１０ｃ、２１０ｄ、２１０ｅの個々の部品で組み立てられている。屋根部材２１０の図示右端には冷却風を吸引する吸気口２１１が形成され、左端には冷却後の排風を外部に放出する排風口２１２が形成されている。【０００８】  前記吸気口２１１には外部に放出される騒音を防止する目的と、吸引する空気に混じって吸引される雨水浸入の防止とを目的として、吸気ダクト２３０が開口部２３０ａを下に向けて係止されている。該吸気ダクト２３０の下端側壁面には開口部を上に向けた樋２３０ｂが周囲に形成されていて、降雨時の雨水を捕集して、冷却風Ｑ１の吸引力が比較的弱い吸気ダクト２３０の図示右側先端の両角部に吐き出す様になっている。【０００９】  天井面に降り注いだ雨水はより大きな水滴となって吸気ダクト２３０の側壁面を伝わり落ちて前記雨樋２３０ｂにより捕集される。該雨樋２３０ｂ内でより大きく成長した水滴は活きよい良く樋内部を流れ、樋端部より塊となって地上に落下するので、前記開口部２３０ａより吸引される事はない。【００１０】  水滴を含まない冷却風Ｑ１が該吸気ダクト２３０内に吸引され、屋根部材２１０を通過した後にエンジン６０に駆動される作業機本体５０やエンジン６０等を冷却する。このため作業機本体５０やエンジン６０等は水滴等を含まない冷却風にて冷却されるため不具合の発生を少なくする事ができる。吸熱後の冷却風は排風となって再び屋根部材２１０の図示しない内部通路，排風ダクト２４０へと送り出され、排風口２４０ａより排風Ｑ２となって大気に開放される。
【特許文献１】登録実用新案公報  実用新案登録第３０８４４３１号
【特許文献２】登録実用新案公報  実用新案登録第３０９６２５３号
【発明の開示】
【発明が解決しようとする課題】
【００１１】  多くの場合エンジン駆動作業機は使用する作業現場が固定される事は少なく、作業現場毎に頻繁に運ばれて使用される事が多い。かかる場合にエンジン駆動作業機は筐体よりダクト等の飛び出し部分が無い事が好まれる。またダクトや雨樋等は筐体より突き出ているため、エンジン駆動作業機のクレーン等による吊り上げ作業時や設置時に周辺の建造物や他のエンジン駆動作業機に衝打して、変形により自らの機能を果たさなくなったり、相手の構造物に損傷を与えてしまう事も有る。【００１２】  雨樋を金属製として、筐体と雨樋とを溶接構造とした場合には接合面が塗装できずに錆の発生を抑えるために接合面をコーキングする必要が有る。また金属製雨樋を筐体にボルト等で固定する場合にも、雨樋が長かったりすると接合面に隙間ができる場合もあるのでコーキングの必要がある。【００１３】  またエンジン駆動作業機が大型になると筐体全体が複数の構成部材に分割されていて、該構成部材のそれぞれがボルト等により結合されて１つの筐体となっている。該構成部材のうちで冷却風を吸引する吸気口が配設された構成部材（例えば屋根部材）は、更に細かに分割された同形状を成した複数の小構成部材片が横設されてボルト等の結合にて１つの構成部材となっている。【００１４】  前記吸気口が複数の小構成部材片に連続して形成されている場合には、雨水対策として雨樋を配設する場合は、横設された前記複数の小構成部材片の壁面に通して配設しなければならない。しかしながら同形状の複数の小構成部材片とは言え、外径寸法は必ずしも同一に仕上がっていない場合がある。かかるばあいに該小構成部材片を横設してボルト等で結合されて組立誤差も加算されるので、当然接合面に段差が生じる。【００１５】  この様な小構成部材片の接合面には雨水侵入防止対策として接合面全長に断面視で表面より盛り上がる様に円弧状のコーキングを施す事も有るため、更に接合面の平坦度が損なわれてしまう。かかる場合は、ボルトによる金属製の雨樋取付には、隙間調整を行った上で取付面の周囲をコーキングせねば成らい場合があり、取付に時間を要する。また隙間調整が不十分だと雨樋が変形してしまう事も有る。
【課題を解決する為の手段】
【００１６】  上述の様な課題を解決すべく本発明に於いては請求項１に記載の如く、少なくとも筐体内にエンジンとエンジンに駆動される作業機本体および冷却ファンとが配設され、該筐体側壁面に雨樋が配設されているエンジン駆動作業機において、該雨樋を柔軟性を有した部材で形成し、該雨樋は略凹型をした排水溝の開口部を上方に向け、該排水溝を形成する両側壁の一側壁外面を該側壁上端部から前記排水溝底面位置より下側に延びた下端部までを平面状の垂直壁で形成し、該平面状の垂直壁下端に連なる雨樋底面と前記排水溝の底面とで囲まれた塊部の略中間領域に中空状の空隙を雨樋の長手方向に形成する。
【００１７】  上述の様な課題を解決すべく本発明に於いては請求項２に記載の如く、請求項１記載のエンジン駆動作業機の雨樋であって、前記筐体側壁面に配設された雨樋は柔軟性を有した樹脂材で形成され、該筐体側壁向に形成された吸気口上部に配設する。
【００１８】  上述の様な課題を解決すべく本発明に於いては請求項３に記載の如く、請求項２記載のエンジン駆動作業機の雨樋であって、前記排水溝底面位置は前記垂直壁の略中央位置より下側に形成され、該排水溝底面の一端は前記平面状をした垂直壁の内壁面に連接され、他端は該排水溝外壁内面に連接され、該排水溝外壁は該連接点より上方で雨樋幅が最大となる様に排水溝外壁を外側に拡げて形成する。
【００１９】  上述の様な課題を解決すべく本発明に於いては請求項４に記載の如く、請求項１乃至請求項３記載のエンジン駆動作業機の雨樋であって、前記略凹型をした排水溝両側壁の一側壁に形成された平面状の垂直壁に弾性部材の一側面を貼着し、該弾性部材の他側面はエンジン駆動作業機の筐体側壁面に貼着できるように形成する。
【００２０】  上述の様な課題を解決すべく本発明に於いては請求項５に記載の如く、請求項４記載のエンジン駆動作業機の雨樋であって、前記平面状の垂直壁に対向する排水溝外壁に連なる外側表面の下方に前記雨樋底面との間を仕切る下側に向いた平板状の突起片が雨樋の長手方向に連続して形成する。
【００２１】  上述の様な課題を解決すべく本発明に於いては請求項６に記載の如く、請求項５記載のエンジン駆動作業機の雨樋であって、前記略凹型をした排水溝底面の上側近傍に前記排水溝の一側壁である前記平面状をした垂直壁を貫く水平方向のボルト取付穴を少なくとも２つ以上形成し、該雨樋の固定をボルト取付穴に挿通したボルトで補強する。
【発明の効果】
【００２２】  本発明は上述のように構成する事により、次のような効果を奏する。
【００２３】  雨樋を柔軟性を有した樹脂材で形成し、該雨樋の雨水排水に用いる凹型をした排水溝底面と該排水溝底面の下方に位置する雨樋底面との間の樹脂部材が塊として存在する部分の略中間領域に中空状の空隙を形成したので、該塊部を貫く方向の押圧力に対して反力を有しながら柔軟で復元力を期待した雨樋を提供する事ができる。
【００２４】  このためエンジン駆動作業機をクレーン等で吊り上げる作業時や設置時に周辺の建造物等に衝打しても、該雨樋自体や相手を傷つける事も少なく、また自らも復元力が優れているので変形により雨樋としての機能を失う事を軽減できる。
【００２５】  雨樋の取付面である前記垂直壁に対向する排水溝の排水溝外壁は、該排水溝底面の上方で排水溝幅が最大となる様に該排水溝外壁が外側に張り出して形成され、エンジン駆動作業機の筐体側壁面より一番突出した所と成っている。
【００２６】  該構成により筐体側壁面に配設された雨樋の最大突出部が、略水平方向からの他の構造物に衝打されると、反力を有した雨樋の排水溝底面が前記平面状の垂直壁との交点を支点に全体が内側に回転するように変形する。この時該支点より上部の平面状の垂直壁は筐体側壁面に押圧される方向なので前記貼着された弾性部材が剥がれ事が無いので雨水が雨樋上部よりしみこむ事は無い。
【００２７】  またこの時前記支点より下側の平面状の垂直壁は剥がれる方向の力が働くが仮に貼着した弾性部材が剥がれても、支点よりも上部が確実に貼着しているので上からの雨水のしみこみを懸念する必要は無い。
【００２８】  雨樋の取付面である前記平面状の垂直壁に対向する前記排水溝外壁の外側表面下方に該雨樋底面との間を仕切る下側に向いた平板状の突起片を雨樋の長手方向に連続して形成したので、該外側表面に触突した雨水の水滴が該突起片を伝わり真下に落下するので雨樋底面を経て筐体側壁面に形成された吸気口へと伝わる事は無い。
【００２９】  前記取付面である平面状に形成された垂直壁の排水溝内側より、前記排水溝の底面の上側近傍に水平を成して筐体側壁面と該雨樋とを固定するボルトが配設されているので、前記排水溝の底面が前記平面状の垂直壁に交わる支点近傍は、該ボルトにより筐体側壁面に押圧されているので、該雨樋に水平方向の外力が加わった場合でも、確実に該支点部は安定的に押圧されている。
【００３０】  前記雨樋を柔軟性を有する樹脂材で形成したのでより貼着面である筐体側壁面の平坦度を気にせずに隙間無く貼着する事が可能となる。またエンジン駆動作業機が大型となり吸気口を形成する筐体部分が複数の小構成部材片で組み立てられ、該筐体接合面にコーキング処理が行われている場合は部分的に段差が生じるが、該段差を吸収して貼着できる雨樋を提供する事ができる。
【００３１】  雨樋が筐体面に確実に隙間無く貼着でき、該弾性部材は通常独立気泡体て形成された多孔性材料を使用するので弾性部材自体の水の透過や隙間による水の透過を無くす事ができるのでコーキング作業を省く事ができ、仕上がりも良くなる。またボルト頭部が凹型溝の内部に配設されているので、外側より見えずに美観を損なう事は無い。
【発明を実施する為の最良の形態】
【００３２】  以下、図１乃至図５により本発明の実施例を示す。
【実施例１】
【００３３】  図１は本発明の一実施例で、雨樋が筐体側面に配設されたエンジン駆動作業機の側面図を示し、以下詳細に説明する。エンジン駆動作業機１００はベース１１０と筐体の一部である下段フレーム１２０、上段フレーム１３０等で形成されている。筐体内部のベース１１０上にはエンジン６０とエンジン６０に駆動される作業機本体５０、冷却ファン６１、ラジエータ６２や電装品収納箱７０等が配設されている。【００３４】  下段フレーム１２０はエンジン駆動作業機１００が大型であるために複数の下段フレーム片１２１、１２２、１２３，１２４および下段フレーム片１２５がそれぞれボルトで締結されている。該フレームには必要に応じて筐体内部を点検するための扉が配設されている。【００３５】  上段フレーム１３０も筐体が大きいために複数の小構成部材片である上段フレーム片１３１，１３２，１３３，１３４，１３５で構成され、互いに図示しないボルトで締結され、１つの上段フレーム１３０として形成されている。【００３６】  該エンジン駆動作業機１００は屋外に設置される事が多いため、天井面である前記上段フレーム１３０は、上段フレーム片同士の外周側接合面に沿って断面が円弧状に盛り上がった帯状のコーキング部材１６０が連続して塗布してあり、筐体内部への雨水の浸入を防止している。【００３７】  前記上段フレーム片１３４と上段フレーム片１３５との側壁面に冷却空気を吸引する吸気口１３６、１３７が形成され、図示しない通風路を経て筐体内部を冷却して排風口１３１ａより外部に放出される。該吸気口１３６、１３７の上方には雨樋８０が前記上段フレーム片１３２から上段フレーム片１３５までを通して配設されている。【００３８】  図２は図１で示したＡ−Ａ断面図であり、図３は図２で示した雨樋８０の拡大図であり以下併せて詳細に説明する。上段フレーム片１３５の側壁面１３５ａには冷却風を吸引する吸気口１３７が雨水の浸入を阻止する斜板１３７ａを有して形成されている。該吸気口１３７の上方に天井面等から流れ落ちる雨水を捕集する雨樋８０が、弾性部材８５を貼着したうえで上段フレーム片１３５の側壁面１３５ａに配設されている。【００３９】  図３に示すように、上段フレーム片１３５の側壁面１３５ａに配設された雨樋８０は、略凹型をした排水溝８０ｅの開口部を上方に向け、該排水溝８０ｅを形成する図示左端の壁面が平面状を成して排水溝の底面８０ｆより下方に延びた垂直壁８０ａを形成している。該垂直壁８０ａの外壁面には独立気泡体で構成された弾性部材８５の片面が貼設し、他面は側壁面１３５ａに貼着している。さらにボルト９２にて側壁面１３５ａに固設されたナット９３との間で雨樋を螺持している。【００４０】  排水溝底面８０ｆと前記垂直壁８０ａ下端に連なる雨樋８０の底面８０ｋとの間に囲まれる略中間領域に中空状の空隙８０ｃが雨樋８０の長手方向に通して形成されている。垂直壁８０ａに対向する排水溝外壁８０ｄは、排水溝の底面８０ｆの図示右側端部に連なり上方に向かいながら外側に拡がるように排水溝８０ｅの幅を広げて最大溝幅を形成した後は、上方位置で排水溝８０ｅの幅を狭めている。【００４１】  前記排水溝外壁８０ｄの下側は前記雨樋の底面８０ｋへと延びている。排水溝外壁８０ｄと雨樋底面８０ｋとの境には、該排水溝外壁８０ｄの表面に沿って流れ落ちる水滴を下側に落下させる下側に向いた平板状の突起片８０ｇが形成されている。【００４２】  排水溝外壁８０ｄの内側より図示矢印Ｆ１から矢印Ｆ２の方向に力を加えると排水溝外壁８０ｄは想像線で示す排水溝外壁８０ｊの如く倒れるのでボルト９２の挿入を行う事ができ、矢印Ｆ２，Ｆ１の方向の力を取り去ると排水溝外壁８０ｊは実線で示した元の位置である排水溝外壁８０ｄに戻る。【００４３】  排水溝底面８０ｆの下方は略中央部に中空状の空隙８０ｃを有した塊部８０ｂが形成されている。該塊部８０ｂは他の雨樋部分に比較して外力に対する反発力が有り衝撃に対して緩衝材として働く。エンジン駆動作業機の移設時や搬送時に伴う触突による外力に対して機械の保護に役立ち、また相手の構造物に対して損傷を与える事も少なくなる。この様に該雨樋８０は緩衝材としての機能を有した雨樋となっている。【００４４】  図４は図１で示したＰ矢視図で有るが、雨樋８０の取付前の状態を示している。結合される上段フレーム片１３４と上段フレーム片１３５との間には製作上の寸法誤差が有ったり、組立時に発生する該上段フレーム片の側壁面１３４ａと上段フレーム片の側壁面１３５ａとの間のずれにより段差ｄ１が生じる事がある。【００４５】  また両上段フレーム片間の結合部には雨水対策としてコーキング部材１６０が結合部に沿って連続的に塗布され、該コーキング部材の断面は表面より円弧状に盛り上がるように施工されている。前記段差ｄ１が生じた部分には該段差ｄ１をなだらかに覆うコーキング部材１６０の盛り上がり部１６０ａが形成されている。【００４６】  図５は図４に対して雨樋８０を取り付けた状態を表している。段差ｄ１を有した前記上段フレーム片の側壁面１３４ａと上段フレーム片の側壁面１３５ａとに跨り雨樋８０が、略凹型をした排水溝８０ｅの開口部を上方に向け、合成ゴム製の弾性部材８５が雨樋８０の前記垂直壁８０ａに貼設されて上段フレームの各側壁面に沿うように密着状態で配設されている。【００４７】  該雨樋８０は可塑剤を加えて所定の硬度にした塩化ビニル樹脂で形成され、前記垂直壁８０ａに貼設された合成ゴム製の弾性部材８５と共に柔軟性を有しながら取付面である上段フレームの各側壁面の変形や段差部を吸収している。取付面の段差部やコーキング部の盛り上がり部１６０ａの密着状態を確実にするため、排水溝８０ｅの内側よりボルト９２を筐体側に固着されたナット９３に挿通し固定している。【００４８】  雨樋８０や上段フレームの段差部ｄ１及びコーキング部材１６０形状を説明するに当たり各要部は誇張して図示している。また実施例では結合された複数の上段フレーム片に跨るように雨樋８０を配設した実例を開示したが平坦な１つの部材で形成された取付面でも効果を有する事は言うまでもない。また前記貼設する弾性部材８５は、１つの部材で形成された平坦な取付面で有る場合は厚さの薄い両面テープ等を用いる事も可能である事は言うまでもない。
【図面の簡単な説明】
【００４９】
【図１】図１は本発明の一実施例を示すエンジン駆動作業機の側面図
【図２】図２は図１で示したＡ−Ａ断面図
【図３】図３は図２で示した雨樋８０の拡大図
【図４】図４は図１で示したＰ矢視図
【図５】図５は図４に雨樋を配設した図
【図６】図６は吸気ダクトに雨樋を形成した一従来例
【図７】図７は図６で示した従来例の雨樋部拡大図
【符号の説明】
【００５０】５０    作業機本体
６０    エンジン
６１    冷却ファン
６２    ラジエータ
７０    電装品収納箱
８０    雨樋
８０ｃ  中空状の空隙
８０ｅ  排水溝
８５    弾性部材
９２    ボルト
１００，２００  エンジン駆動作業機
１１０，２０５  ベース
１２０  下段フレーム
１３０  上段フレーム
１３４，１３５  上段フレーム片
１３６，１３７  吸気口
１６０  コーキング部材
２３０  吸気ダクト
２３０ｂ  雨樋
【図１】
2008051087.tif 000003
【図２】
2008051087.tif 000004
【図３】
2008051087.tif 000005
【図４】
2008051087.tif 000006
【図５】
2008051087.tif 000007
【図６】
2008051087.tif 000008
【図７】
2008051087.tif 000009